(57)【要約】      （修正有）【課題】棹状，板状あるいは柱状の被切断物を、求める個数に均等に切り分けるためのゲージシートを提供する。【解決手段】紙状のシート表面いっぱいに等間隔で互いに平行な直線を引いて、目盛り線とし、目盛り線を引いた面が表に見えるようにシートを折りながら、その折り線が被切断物の長さ方向に平行になるように、上記被切断物の上に置く。その際、被切断物長さ方向の一方の端には、シートの折り線上に現れている目盛り線の１本目をあてがい、被切断物をＮ個に切り分けたい場合、折り線上に現れた目盛り線のＮ＋１本目を、棹のもう一方の端にあてがうように、折り線の傾斜角度を探るように調整しながらシートを折ることで、切り分けたい個数の均等割りゲージとなる。この均等割りゲージに従って被切断物に目印をつけ、その目印に従って、長さ方向に対して直角に切ることで、均等に切り分けることができる。【選択図】図１
0003173645.tif 000002
【実用新案登録請求の範囲】
【請求項１】
棹状，板状あるいは柱状とした被切断物を均等厚さに切り分ける際に用いるゲージであって、平行でしかも等間隔に複数本の直線を引いた紙状のシートを、非切断物の長さと切り分け個数に合わせて前記複数本の直線に対して直角又は斜めに二つ折りし、その折り線を非切断物の一辺に沿わせて非切断物に切り線のための目印を付けるゲージシート。
【請求項２】
請求項１のシートにおいて、平行でしかも等間隔な直線のＮ本目とＮ＋１本目の間にＮの数値を入れるか、またはＮ本目の直線上にＮ−１の数値を入れた均等割りゲージシート。
【請求項３】
請求項１または請求項２のシートにおいて、いつも被切断物の大きさが同じである場合、石鹸の棹の長さをＬとし、切り分けたい個数をＮとし、平行でしかも等間隔に引いた複数本の直線に、直角または斜めに交差して、前記直線の１本目からＮ＋１本目までの距離がＬになるような直線を複数本引いておき、その線がＮ個に切り分けるための折り線であることを示した専用折り線を複数本引いた均等割りゲージシート。
【考案の詳細な説明】
【技術分野】
【０００１】
本考案は、棒状あるいは板状とした被切断物、例えばブロック状の石鹸の塊を、均等な厚さに切り分ける際に使用するゲージシートに関するものである。
【背景技術】
【０００２】
近年家庭においてオリーブ油・ココナツ油・パーム油などの食用油と苛性ソーダを原料とした石鹸作りが盛んに行われている。愛好家の中には手作り石鹸の使い心地や、石鹸の色付け・模様付け、香り付けなどを楽しんでいる人もいる。
【０００３】
家庭における手作り石鹸製作によく使用される型枠は、牛乳パック、木型、シリコンやアクリル樹脂などのプラスチック型などである。型枠へ注入後、固まって型枠から取り出した石鹸の塊は、使いやすい大きさにナイフ等で切り分けられる。
【０００４】
この石鹸の塊を切り分ける際、切り分けられたそれぞれの石鹸の厚みを整えるために、これまでは、石けんの塊の端から定規で測って印をつけたり、あるいは切断用まな板に目盛りをつけたりしていた。
【考案の概要】
【考案が解決しようとする課題】
【０００５】
上述のような方法で石鹸を端から切り分けた場合、最後に残った石鹸だけが他とは違い薄くなってしまうことがある。本考案は、石鹸の塊の大きさに対して均等に、求める個数にカットできるゲージを提供し、最後に薄い石鹸が残ってロスが出ないようにすることで、前述の点を解決しようとするものである。
【課題を解決するための手段】
【０００６】
本考案では、切ろうとする石鹸の塊、例えば棹の長さよりも長い紙状のシートに、得ようとする石鹸の切断片の個数（Ｎ個）＋１本以上の相互に平行な等間隔の直線を引き、このシートをＮ＋１本の直線が棹の左右両端に合致する長さとなるようシートを斜め折りして棹の長さ方向に平行に置き、斜め折り線上に現れた各直線に沿って切断目印を棹につけ、この目印に沿って左あるいは右の端と平行に切断具で切断してゆくためのゲージシートである。
【０００７】
紙状のシート表面いっぱいに、得ようとする石鹸の切断片の個数（Ｎ個）＋１本以上の相互に平行で等間隔の直線を引き、これを目盛り線とする。目盛り線の間隔は、通常切り分け得る石鹸の厚みの最薄またはそれよりも狭くする。この目盛り線を引いた面が表に見えるようにシートを折りながら、その折り線が石鹸の棹の長さに対して平行になるように、石鹸の塊の上に置く。その際、棹の長さ方向の一方の端には、シートの折り線上に現れている目盛り線の１本目をあてがう。石鹸をＮ個に切り分けたい場合、折り線上に現れた目盛り線のＮ＋１本目を、棹のもう一方の端にあてがうように、折り線の傾斜角度を探るように調整しながらシートを折る。
【０００８】
上述のように、シートの折り線上に現れる目盛り線の１本目とＮ＋１本目を、石鹸の棹の長さ方向の両端にあてがいながら、かつその折り線を棹の長さ方向に平行にして石鹸の上に置くことで、シートの折り線上に現れた目盛り線は、石鹸の棹をＮ個に均等割りするゲージとなる。そのゲージに従って棹に例えばナイフで目印をつけ、その目印に従って棹の長さ方向に対して直角に切り分ける。
【０００９】
上述のシートの目盛り線と目盛り線の間に、または全ての目盛り線上に、その目盛り線が何個目のゲージであるかを示す数値を入れておくと便利である。数値を目盛り線と目盛り線の間に入れる場合は、Ｎ本目とＮ＋１本目の間にＮの数値を入れる。目盛り線上に入れる場合は、Ｎ本目の目盛り線上にＮ−１の数値を入れる。
【００１０】
いつも同じ型枠で石鹸を作るなど、いつも被切断物の大きさが同じである場合には、上述のシートに専用折り線を入れると便利である。例えば石鹸の棹の長さをＬとして、切り分けたい個数をＮとする。上述のシートに、始点が目盛り線の１本目で終点が目盛り線のＮ＋１本目でその長さがＬになるような、目盛り線に対して直角または斜めの直線を引いておき、その線がＮ個に切り分けるための折り筋を示す線であることを示しておく。このような専用折り線を数本引いておけば、切り分けたい個数に合わせた専用折り線でシートを折ると均等割りのゲージとなるので、切り分けには極めて便利である。
【考案の効果】
【００１１】
石鹸の塊の大きさが変わっても、あるいは切り分けたい個数が変わっても、簡単に切り分けたい個数の均等割りゲージシートを得ることができる。したがって石鹸の塊の端部に薄い石鹸を残すことなく、均等に求める個数にロスなく切り分けることができる。専用折り線を使うとさらに簡単に均等割りができる。
【図面の簡単な説明】
【００１２】
【図１】本考案の均等割りゲージシートの実施例で、石鹸棹を１０個に切り分ける状態の図である。
【図２】同ゲージシートの正面図である。
【図３】同ゲージシートに目盛り線のＮ本目とＮ＋１本目の間にＮの数値を入れた正面図である。
【図４】同ゲージシートに、いつも被切断物の大きさが同じである場合の専用折り線を示した正面図である。
【考案を実施するための形態】
【００１３】
以下本考案のゲージシートについて説明する。まず、図２〜図４に示すように平行でしかも等間隔に複数本の直線を描いたシートを用意した。
【実施例】
【００１４】
以下、上記のシートを用いて石鹸を切り分ける実施例を説明する。被切断体である石鹸の塊Ｓの両端の見栄えが良くない場合には、両端を削り落としてきれいにしておく。図１のように、図３に示すシートの相互に平行な等間隔の直線である目盛り線を引いた面が表に見えるように折りながら、その折り線が石鹸の棹の長さ方向に対して平行になるように、棹の上に置く。その際、棹の長さ方向の一方の端には、シートの折り線上に現れている目盛り線の１本目をあてがう。石鹸を１０個に切り分けたい場合、折り線上に現れた前述の目盛り線の１１本目を、棹のもう一方の端にあてがうように折り線の傾斜角度を探るように調整しながらシートを折る。
【００１５】
上述のように、シートの折り線上に現れる目盛り線の１本目と１１本目を、石鹸の棹の長さ方向の端と端にあてがうことで、その折り線は、石鹸を１０個に均等割りするゲージとなっている。その均等割りゲージに従って石鹸に何らかの印をつけ、その印に従って石鹸の棹の長さ方向に対して直角に切り分ける。
【００１６】
図３に示すように、上述のシートの全ての目盛り線のＮ本目とＮ＋１本目の間にＮの数値を入れておく、または、Ｎ本目の直線上にＮ−１の数値を入れておくと、シートを折る際に、均等割りしたい個数のゲージとなる直線が一目でわかるので便利である。
【００１７】
図４に示すように、いつも同じ型枠で石鹸を作るなど、いつも被切断物の大きさが同じである場合には、上述のシートに専用折り線を入れると便利である。石鹸の棹の長さをＬとして、切り分けたい個数をＮとする。上述のシートに、始点が目盛り線の１本目で終点が目盛り線のＮ＋１本目でその長さがＬになるような、前述の目盛り線に対して直角または斜めの直線を引いておき、その線がＮ個に切り分けるための折り筋を示す線であることを示しておく。このような専用折り線を数本引いておけば、切り分けたい個数に合わせた専用折り線でシートを折ると均等割りゲージとなるので便利である。
【００１８】
本考案は上記の如き構成からなるものであるから、石鹸の塊が棹状，板状あるいは柱状であっても、その大きさが変わっても、さらには切り分けたい個数が変わっても、簡単に切り分けたい個数の均等割りゲージシートを得ることができる。このゲージシートを用いれば切り分け後に薄い石鹸を残片として残すことなく、求める個数に均等に切り分けることができる。
【符号の説明】
【００１９】
Ｓ  石鹸
Ａ  均等割りゲージシート
【図１】
0003173645.tif 000003
【図２】
0003173645.tif 000004
【図３】
0003173645.tif 000005
【図４】
0003173645.tif 000006
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
棒状あるいは板状とした被切断物を均等厚さに切り分ける際に用いるゲージであって、均等割りゲージを得るために、等間隔に平行な多数の直線を引いた紙状のゲージシートを、被切断物の長さと切り分け個数に合わせて前述の多数の直線に対して直角又は斜めに二つ折りし、その折り線を被切断物の一辺に沿わせて切り線マークを付けるゲージシート。
【請求項２】
請求項１のゲージシートにおいて、直線のＮ本目とＮ＋１本目の間にＮの数値を入れた、または、Ｎ本目の直線状にＮ−１の数値を入れた均等割りゲージシート。
【請求項３】
請求項１または請求項２のゲージシートにおいて、いつも被切断物の大きさが同じである場合、石鹸の棹の長さをＬとして、切り分けたい個数をＮとし、直線の１本目からＮ＋１本目までの距離がＬになるような直線を数本引いておき、その線がＮ個に切り分けるための折り線であることを示した専用折り線を数本引いた均等割りゲージシート。